【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
内部空間を画成するキャビネットと、
複数のモバイル・コンピューティング装置が前記内部空間に格納されたときに、前記複数のモバイル・コンピューティング装置を充電するための給電システムと、
前記内部空間に配設された複数のモバイル・コンピューティング装置ドッキング・ステーションと、を含むモバイル・コンピューティング装置カートであって、
前記複数のドッキング・ステーションは、前記複数のモバイル・コンピューティング装置が前記内部空間内の該複数のドッキング・ステーション内に入れられたとき、前記複数のモバイル・コンピューティング装置を前記給電システムに接続するものであり、各々の前記ドッキング・ステーションは、前記モバイル・コンピューティング装置が該ドッキング・ステーション内に位置決めされたとき前記モバイル・コンピューティング装置に自動的に接続するように形成された電源接続部を有する、モバイル・コンピューティング装置カート。
【請求項２】
前記モバイル・コンピューティング装置が一つの方向でのみ前記ドッキング・ステーション内に位置決めされ得るように、各々のドッキング・ステーションが鍵を含んでおり、前記鍵が、モバイル・コンピューティング装置の輪郭に一致する例えばパターン化したスロットである、請求項１に記載のカート。
【請求項３】
各々のドッキング・ステーションが、前記モバイル・コンピューティング装置を所望の位置に保持するためにモバイル・コンピューティング装置に適合するようにされた形状を有しており、及び前記電源接続部が前記ドッキング・ステーションから延びる雄型コネクタである、請求項１に記載のカート。
【請求項４】
該カートが前記内部空間内に少なくとも一つの水平棚を含み、前記複数のドッキング・ステーションの少なくとも一部分が前記棚上に配設され、前記ドッキングステーションは、前記複数のモバイル・コンピューティング装置を概ね鉛直位置で好適に保持する、請求項１に記載のカート。
【請求項５】
前記キャビネットが前記内部空間を閉じるドアまたは前記キャビネットの下側に位置決めされている車輪をさらに含む、請求項１に記載のカート。
【請求項６】
少なくとも１０個のドッキング・ステーションを含む、請求項１に記載のカート。
【請求項７】
前記複数のモバイル・コンピューティング装置が前記内部空間にあるときに、前記複数のモバイル・コンピューティング装置を冷却する空気循環システムをさらに含んでおり、前記空気循環システムが、前記キャビネットの外表面に配設された少なくとも一つのファンを含む、請求項１に記載のカート。
【請求項８】
前記複数のモバイル・コンピューティング装置が前記内部空間内に格納されたときに前記複数のモバイル・コンピューティング装置をネットワークに接続するためのネットワーク接続システムをさらに含むカートであって、前記複数のモバイル・コンピューティング装置が前記内部空間内で前記複数のドッキング・ステーションに入れられたとき前記複数のドッキング・ステーションは前記複数のモバイル・コンピューティング装置を前記ネットワーク接続システムに接続するものであり、各々の前記ドッキング・ステーションは、前記モバイル・コンピューティング装置が前記ドッキング・ステーション内に位置決めされる間に、前記モバイル・コンピューティング装置に接続するように形成されたネットワーク接続部を有する、請求項１に記載のカート。
【請求項９】
前記ネットワーク接続部は、各ドッキング・ステーション内に配設された雄型コネクタを含んでおり、前記雄型コネクタは、前記モバイル・コンピューティング装置の受容コネクタ内に該雄型コネクタを案内するのを助ける面取り先導端部を有する、請求項８に記載のカート。
【請求項１０】
前記モバイル・コンピューティング装置にだけ力を加えることにより前記雄型コネクタが前記モバイル・コンピューティング装置の前記受容コネクタに完全に接続されまたそこから切り離しされ得るように、前記雄型コネクタは係止タブを含まない、請求項９に記載のカート。
【請求項１１】
前記雄型コネクタが、連結具を受容するための少なくとも一つの開口を有するフランジを介して前記ドッキング・ステーションに取り付けられ、前記開口が、前記雄型コネクタと前記モバイル・コンピューティング装置の前記受容コネクタとの間の整列を促進するために前記フランジと前記連結具との間の相対移動を可能にし、及び前記開口が星形を好適に有し、前記連結具がネジを好適に含む、請求項９に記載のカート。
【請求項１２】
前記雄型コネクタがケーブルに垂直に接続されている、請求項９に記載のカート。
【請求項１３】
前記電源接続部が、各ドッキング・ステーション内に配設された雄型電源コネクタを含んでおり、前記雄型電源コネクタが、前記モバイル・コンピューティング装置の電源受容コネクタ内に該雄型電源コネクタを案内するのを助ける面取り先導端部を有する、請求項１に記載のカート。
【請求項１４】
前記雄型電源コネクタが、連結具を受容するための少なくとも一つの開口を有するフランジを介して前記ドッキング・ステーションに取り付けられており、前記開口が、前記雄型電源コネクタと前記モバイル・コンピューティング装置の電源受容コネクタとの間の整列を促進するために前記フランジと前記連結具との間の相対移動を可能にする、請求項１３に記載のカート。
【請求項１５】
前記雄型電源コネクタがケーブルに垂直に接続されている、請求項１３に記載のカート。
【請求項１６】
前記モバイル・コンピューティング装置がラップトップコンピュータである、請求項１に記載のカート。
【請求項１７】
モバイル・コンピューティング装置をモバイル・コンピューティング装置カート内にドッキングする方法であって：
キャビネットの内部空間にアクセスする段階；
第１のモバイル・コンピューティング装置を、前記キャビネットの前記内部空間に配設された第１のドッキング・ステーション内に挿入する段階；
前記第１のモバイル・コンピューティング装置を前記第１のドッキング・ステーション内に挿入する間に、前記第１のモバイル・コンピューティング装置を給電システムに自動的に接続する段階； 
前記第１のモバイル・コンピューティング装置を前記第１のドッキング・ステーション内に挿入する間に、前記第１のモバイル・コンピューティング装置をネットワーク接続システムに自動的に接続する段階；
第２のモバイル・コンピューティング装置を前記キャビネットの前記内部空間に配設された第２のドッキング・ステーション内に挿入する段階；
前記第２のモバイル・コンピューティング装置を前記第２のドッキング・ステーション内に挿入する間に、前記第２のモバイル・コンピューティング装置を給電システムに自動的に接続する段階；及び
前記第２のモバイル・コンピューティング装置を前記第２のドッキング・ステーション内に挿入する間に、前記第２のモバイル・コンピューティング装置をネットワーク接続システムに自動的に接続する段階、を含むモバイル・コンピューティング装置をモバイル・コンピューティング装置カート内にドッキングする方法。
【請求項１８】
内部空間を形成するキャビネットと；
複数のモバイル・コンピューティング装置が前記内部空間に格納されたとき、前記複数のモバイル・コンピューティング装置をネットワークに接続するネットワーク接続システムと；
前記内部空間に配設された複数のモバイル・コンピューティング装置ドッキング・ステーションと；を含むモバイル・コンピューティング装置カートであって、
前記複数のドッキング・ステーションは、前記複数のモバイル・コンピューティング装置が前記内部空間内の該複数のドッキング・ステーション内に入れられたときに、複数のモバイル・コンピューティング装置を前記ネットワーク接続システムに接続するものであり、各々の前記ドッキング・ステーションは、前記モバイル・コンピューティング装置が該ドッキング・ステーション内に位置決めされる間に前記モバイル・コンピューティング装置に自動的に接続するネットワーク接続部を有する、モバイル・コンピューティング装置カート。
【請求項１９】
前記複数のモバイル・コンピューティング装置を充電する給電システムをさらに含む請求項１８に記載のカートであって、
前記複数のドッキング・ステーションは、前記複数のモバイル・コンピューティング装置が前記内部空間内の該複数のドッキング・ステーション内に入れられたときに、前記複数のモバイル・コンピューティング装置を前記給電システムに接続するものであり、各々の前記ドッキング・ステーションは、前記モバイル・コンピューティング装置が該ドッキング・ステーション内に位置決めされる間に前記モバイル・コンピューティング装置に自動的に接続する電源接続部を有する、請求項１８に記載のカート。
【請求項２０】
モバイル・コンピューティング装置ドッキング・ステーション・モジュールであって、該ドッキング・ステーション・モジュールは、複数のモバイル・コンピューティング装置が該ドッキング・モジュール内に入れられたとき、複数のモバイル・コンピューティング装置を給電システムに接続する複数のドッキング・ステーションを提供し、各々の前記ドッキング・ステーションは、前記モバイル・コンピューティング装置が前記ドッキング・ステーション内に位置決めされる間に対応する前記モバイル・コンピューティング装置に自動的に接続する電源接続部を有する、モバイル・コンピューティング装置ドッキング・ステーション・モジュール。